(57)【特許請求の範囲】
【請求項１】
パックケース内に位置決め保持された二次電池に温度検出素子を接触させて両者が熱的に結合するように、温度検出素子を二次電池に向けて付勢する弾性片が前記パックケースに設けられてなる電池パックであって、前記弾性片は、円筒形の二次電池に隣接する位置に二次電池の直径方向に起立形成され，その上端部分に二次電池の略中心軸方向に向けた内角を形成する鉤状部位が形成され、この鉤状部位の内角内に温度検出素子が収容されてなることを特徴とする電池パック。
【発明の詳細な説明】
【０００１】
【発明の属する技術分野】
本発明は、二次電池の温度を検出する温度検出素子を設けた電池パックに関するもので、温度検出素子の二次電池に対する熱的結合状態を一定に保って正確な温度検出を可能としたものである。
【０００２】
【従来の技術】
二次電池における電池温度は、充電制御や安全制御に必要なパラメータであり、正確な温度検出が望まれている。電池温度はサーミスタ等の温度検出素子を二次電池に熱的に結合した状態に配置することによって検出される。
【０００３】
図３は、特願平１１−８１１３８号に開示された二次電池の温度検出構造を備えた電池パックの構成を示すもので、温度検出素子７をそのリード線７ａの弾性により二次電池１０に接触させることにより熱的な結合が得られるように構成されている。
【０００４】
図３において、パックケース１２ａ、１２ｂを構成する下ケース１２ａ内に形成された電池位置決めリブ１３により３個の二次電池１０が所定位置に位置決め配置され、この二次電池１０の温度を検出する温度検出素子７が、そのリード線７ａがリード保持リブ１４に保持され、支持台１１によって下方向位置が規制された状態に配置されている。温度検出素子７はリード線７ａの弾性により二次電池１０側に付勢されることにより二次電池１０に接触するので、二次電池１０に熱的結合して二次電池１０の温度を検出する。
【０００５】
また、温度検出素子７を二次電池１０に接触させる構成は、図４に示すように、二次電池１０に温度検出素子７をテープ１５で固定する方法や、温度検出素子７を接着剤によって二次電池１０に固定する方法などが知られている。
【０００６】
【発明が解決しようとする課題】
上記従来構成において、温度検出素子７をそのリード線７ａの弾性で二次電池１０に接触させるとき、安定した接触状態を維持することが困難である。即ち、リード線７ａの弾性は極めて小さく、サーミスタの例で０．１Ｎ以下であり、何らかの圧力が加わったときに容易に変形し、接触状態が変化して正常な検出状態が得られないことになる。また、パックケース１２ａ、１２ｂ、二次電池１０及び温度検出素子７それぞれに寸法のばらつきがあり、互いの寸法誤差により温度検出素子７の二次電池１０に対する接触圧が小さくなると正常な検出状態が得られないことになる。また、二次電池１０が下ケース１２ａ上に配置されると、温度検出素子７は二次電池１０に隠れた状態になり、製造時に接触状態を目視で確認することができない問題もあった。
【０００７】
また、テープや接着剤で温度検出素子７を二次電池１０に固定する方法は、経年変化や接触状態のバラツキが発生しやすく、手作業による作業工数が大きくなる問題がある。
【０００８】
本発明が目的とするところは、二次電池に対する温度検出素子の接触状態を安定して維持する構造を備えた電池パックを提供することにある。
【０００９】
【課題を解決するための手段】
上記目的を達成するための本発明に係る電池パックは、パックケース内に位置決め保持された二次電池に温度検出素子を接触させて両者が熱的に結合するように、温度検出素子を二次電池に向けて付勢する弾性片が前記パックケースに設けられてなる電池パックであって、前記弾性片は、円筒形の二次電池に隣接する位置に二次電池の直径方向に起立形成され，その上端部分に二次電池の略中心軸方向に向けた内角を形成する鉤状部位が形成され、この鉤状部位の内角内に温度検出素子が収容されてなることを特徴とする。
【００１０】
本発明によれば、円筒形の二次電池の隣り合う位置に二次電池の高さ方向に起立形成された弾性片の上端部分に、二次電池の略中心軸方向に向く内角を形成する鉤状部位が形成され、この鉤状部位の内角内に温度検出素子を収容することにより、温度検出素子は鉤状部位に保持されると共に、弾性片の付勢により二次電池の中心方向に押圧されるので、温度検出素子の二次電池との接触性がよく、電池パックに振動や衝撃が加わったときにも位置ずれすることなく接触状態が保持される。
【００１１】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００１２】
図１において、本実施形態に係る電池パックは、ポリカーボネイト樹脂の樹脂成形によって形成された下ケース４内に、電池保持リブ８によって位置決め保持して複数（ここでは６個）の二次電池１を配置し、この二次電池を過充電や過放電等から保護する電池保護回路等を構成した回路基板２を配置し、この下ケース４に同じくポリカーボネイト樹脂で成形された上ケース５を接合して、二次電池１と回路基板２とを内装した電池パックに構成されている。
【００１３】
前記回路基板２から温度検出素子３が引き出されており、下ケース４に二次電池１と回路基板２とを収容した後、温度検出素子３は下ケース４に形成された弾性片６と二次電池１との間に配置される。温度検出素子３は二次電池１の温度を検出して、充電時に二次電池１が所定温度以上になったときには充電を停止する充電制御や二次電池１の異常温度上昇による電池破壊を防止する安全制御に不可欠のものであり、二次電池１の温度を安定して検出できるように維持する必要がある。
【００１４】
前記弾性片６は、図２に示すように、下ケース４上に位置決め保持された二次電池１に隣接する位置に、下ケース４から二次電池１の直径方向に起立するように形成され、その先端部分に鉤状部位６ａが形成されている。この弾性片６は二次電池１の直径方向の高さとほぼ同等に形成され、先端部分に略直角の内角を形成する鉤状部位６ａを形成することによって、鉤状部位６ａの内角はほぼ二次電池１の中心軸方向に向くようになる。この鉤状部位６ａに温度検出素子３が配置されることにより弾性片６は弾性変形して温度検出素子３を二次電池１に押圧した状態に保持する。また、鉤状部位６ａの内角が二次電池１の中心軸方向に向いていることによって、温度検出素子３は二次電池１の略直径方向に接する状態となり、安定した接触状態が得られる。また、この弾性片６により二次電池１や温度検出素子３の寸法のばらつきにかかわらず温度検出素子３は安定した状態で二次電池１に接触して温度検出する状態が得られる。
【００１５】
二次電池１は、円筒形の直径が１６．５〜１７．０ｍｍの間で変動するばらつきを有する。また、温度検出素子３はサ−ミスタであって、円筒形の直径が２．０〜３．０ｍｍの間で変動するばらつきを有する。例えば、二次電池１の直径が最小の１６．５ｍｍで、温度検出素子３の直径が最小の２．０ｍｍであるときにも、弾性片６はその先端部分で０．２４ｍｍの撓みが生じるので、撓みによる応力により温度検出素子３は０．６Ｎの押圧が加えられて二次電池１に密着する。また、二次電池１の直径が最大の１７．０ｍｍで、温度検出素子３の直径が最大の３．０ｍｍであるとき、弾性片６はその先端部分で１．９６ｍｍの撓みが生じ、撓みによる応力により温度検出素子３は５．１Ｎの押圧が加えられて二次電池１に密着する。尚、温度検出素子３の外装はエポキシ樹脂であり、その圧縮強度は１００Ｎ以上であり、弾性片６により最大の押圧が加わったときにも破損することはない。
【００１６】
温度検出素子３の取付けは、弾性片６の先端部分を指で二次電池１から離れる方向に撓ませ、先端部分に形成された鉤状部位６ａの凹部内に温度検出素子３を入れ、指を離すだけの簡単な作業で行うことができる。このときの弾性片６を撓ませるのに要する応力は７．８Ｎ程度であり、特別な治具を用いることなく人の手で十分に作業できる。
【００１７】
【発明の効果】
以上の説明の通り本発明によれば、温度検出素子が二次電池に接触した状態が安定して得られるので、二次電池の充放電に不可欠な温度検出が正確になされ、性能のよい電池パックを形成することができる。
【図面の簡単な説明】
【図１】実施形態に係る電池パックの構成を示す分解斜視図である。
【図２】弾性片による温度検出素子の二次電池への接触状態を示す断面図である。
【図３】従来技術になる電池パックの構成を示す分解斜視図である。
【図４】従来技術になる温度検出素子の二次電池への取付け状態を示す断面図である。
【符号の説明】
１  二次電池
２  回路基板
３  温度検出素子
４  下ケース
５  上ケース
６  弾性片
６ａ  鉤状部位
【図１】
0003697384.tif 000002
【図２】
0003697384.tif 000003
【図３】
0003697384.tif 000004
【図４】
0003697384.tif 000005